(57)【特許請求の範囲】
【請求項１】
肘掛け本体の下部に連設した肘掛け取付部を、座シェルの下面にボルトにより取り付けてなる椅子において、前記肘掛け取付部を、座シェルの下面に当接する上面部と、肘掛け本体の端部を外側面に、また係合孔を穿設した補強杆を内側面に溶接した側面部とを有する取付板を備えるものとし、前記肘掛け取付部またはその近くにおいて、座シェルに、複数の係合孔を穿設し、これら係合孔に対応する係合爪を有するとともに、前記肘掛け取付部を覆い隠す形状を有する下部カバーを、前記係合孔に前記係合爪を係止させることにより、前記肘掛け取付部に取り付けたことを特徴とする椅子。
【請求項２】
肘掛け取付部の前後部にそれぞれ係合孔を穿設し、これら係合孔に係合する係合爪を上部に有する弾性係合片を、下部カバーの上面に立設したことを特徴とする請求項１記載の椅子。
【請求項３】
取付板の上面部の内端部を下方に折り曲げ、この折り曲げ部を、補強杆の上面に溶接したことを特徴とする請求項１または２記載の椅子。
【発明の詳細な説明】
【０００１】
【発明の属する技術分野】
本発明は、肘掛け本体の下部に形成した肘掛け取付部を、座シェルの下面にボルトにより取り付けてなる椅子、特にこのような椅子の肘掛け取付部の構造に関する。
【０００２】
【従来の技術】
従来、肘掛け本体の下部から肘掛け取付部を連設するとともに、この肘掛け取付部の上面を座シェルの両側部の下面に当接し、ボルトを肘掛け取付部の下方から貫通して、座シェルに形成した雌ねじ部に螺合することにより、肘掛けを座シェルに取り付けた椅子が知られている。
【０００３】
【発明が解決しようとする課題】
このような従来の椅子では、肘掛け取付部及び取付用のボルトの頭部等の金属部分が、合成樹脂製の座シェルの外側に露出することになり、見栄えが悪くなるとともに、着座者が、座の上下調整等のレバー操作のために座裏に手をのばした場合に、肘掛け取付部やボルトの頭部に手が触れて、レバーと誤認したり、凹凸のある悪い感触を与えたりするという問題がある。
【０００４】
本発明は、このような問題点を解決するため、肘掛け取付部を、取付簡単な下部カバーにより被覆した椅子を提供することを目的としている。
【０００５】
【課題を解決するための手段】
本発明によると、上記課題は、次のようにして解決される。
(１)  肘掛け本体の下部に連設した肘掛け取付部を、座シェルの下面にボルトにより取り付けてなる椅子において、前記肘掛け取付部を、座シェルの下面に当接する上面部と、肘掛け本体の端部を外側面に、また係合孔を穿設した補強杆を内側面に溶接した側面部とを有する取付板を備えるものとし、前記肘掛け取付部またはその近くにおいて、座シェルに、複数の係合孔を穿設し、これら係合孔に対応する係合爪を有するとともに、前記肘掛け取付部を覆い隠す形状を有する下部カバーを、前記係合孔に前記係合爪を係止させることにより、前記肘掛け取付部に取り付ける。
【０００６】
(２)  上記(１)項において、肘掛け取付部の前後部にそれぞれ係合孔を穿設し、これら係合孔に係合する係合爪を上部に有する弾性係合片を、下部カバーの上面に立設する。
【０００７】
(３) 上記(１)または(２)項において、取付板の上面部の内端部を下方に折り曲げ、この折り曲げ部を、補強杆の上面に溶接する。
【０００８】
【発明の実施の形態】
図１は、本発明の一実施例の概要を示すもので、この図から明らかなように、この椅子の座(１)の底部を構成する合成樹脂製の座シェル(1a)の左右両側部には、肘掛け本体(２)がボルト(３)により取り付けられ、この取付部分は、下部カバー(４)により覆われている。
【０００９】
この構成を、取付部分を詳細に分解して示す図２について説明する。
肘掛け本体(２)の支柱(５)は、長円形断面パイプ材からなり、その下端は内方、すなわち座シェル(1a)側に曲がり、点線により示されているように、垂直に切断されて終わっている。
【００１０】
肘掛け取付部(６)の主要構成部分のひとつである鋼製の取付板(７)は、前後２個のボルト取付孔(８)が穿設された上面部(7a)と、上面部(7a)の外端から下方に折れ曲がって延びる側面部(7b)と、上面部(7a)の内端から下方に折れ曲がって延びる折り曲げ部(7c)とからなっている。
【００１１】
取付板(７)の側面部(7b)の外側面には、上述の支柱(５)の切断端部が、その長円形の長軸が若干前下がりに傾斜するようにして突き当てて溶接されている。図３の(Ｗ1)が、この溶接部である。
このようにして、肘掛け本体(２)の下部に、肘掛け取付部(６)が連設されている。
【００１２】
取付板(７)の側面部(7b)の内側面には、断面形が下向きコ字状をなして左右方向を向く鋼製の補強杆(９)の外端が突き当てられ、溶接部(Ｗ2)により溶接されている。また、補強杆(９)の上面には、上述の折り曲げ部(7c)の下端が突き当てられ、溶接部(Ｗ3)により溶接されている。
【００１３】
補強杆(９)の内端近くの上面には、ボルト孔(13)が穿設され、また補強杆(９)の前後の上隅部には、左右２個ずつの係合孔(10)(10)が穿設されている。
【００１４】
合成樹脂製の下部カバー(４)は、肘掛け取付部(６)の下面全体を覆う形状を有するもので、その内部には、上述の補強杆(９)の係合孔(10)に対応する係合爪(11)を上端に備えた弾性係合片(12)が立設されている。弾性係合片(12)の長さは、断面下向きコ字状の補強杆(９)の前後の垂下片(9a)(9a)の長さとほぼ等しくされている。
【００１５】
上述のように、肘掛け本体(２)の支柱(５)の下端に連設された肘掛け取付部(６)は、取付板(７)と補強杆(９)とのボルト孔(８)(13)にボルト(３)を挿通し、これらボルト(３)を座(１)の芯となる座シェル(1a)に螺締することにより、座(１)に取り付けられている。
ついで、下部カバー(４)を下方より肘掛け取付部(６)に挿入して、座シェル(1a)に固着された補強杆(９)の前後部の係合孔(10)に、下部カバー(４)の内部に立設された弾性係合片(12)の上端の係合爪(11)を引っかけて係止させる。すると、下部カバー(４)は、肘掛け取付部(６)の下面全体をぴったりと覆いかくすようになる。
【００１６】
上述の実施例においては、支柱(５)の下端部を取付板(７)の側面部(7b)の外側面に溶接し、この取付板(７)の側面部(7b)の内側面に補強杆(９)を溶接しているが、支柱(５)の下端部自体を長く延ばして、その延長部により、補強杆(９)と同様の機能を持たせるようにしてもよい。
さらに、係合孔(10)は、補強杆(９)に設けずに、補強杆(９)の近くの座シェル(1a)の適所に穿設してもよい。
【００１７】
【発明の効果】
請求項１記載の本発明によれば、係合爪を係合孔に係止することにより、肘掛け取付部を下部カバーにより取り付けて容易に被覆することができ、肘掛け取付部及び取り付け用のボルトの頭部が露出することのない、見栄えのよい椅子とすることができる。
また、椅子への着座者が、座の上下調整等のレバー操作のために座裏に手をのばした場合にも、肘掛け取付部やボルトの頭部が下部カバーにより覆われているので、それらをレバーと誤認したり、凹凸のある悪い感触を与えたりすることがない。さらにボルトの頭部等による突出物がないので安全性が高い。
さらに、肘掛け取付部を、座シェルの下面に当接する上面部と、肘掛け本体の端部を外側面に、また係合孔を穿設した断面コ字状の補強杆を内面に溶接した側面部とを有する取付板を備えるものとしてあるから、構造的に強固な肘掛け取付部を高精度で構成することができる。
【００１８】
請求項２記載の発明のように、肘掛け取付部の前後部にそれぞれ係合孔を穿設し、これら係合孔に係合する係合爪を上部に有する弾性係合片を、下部カバーの上面から立設すると、係合爪が肘掛け取付部をその前後面から係合孔に係止されるので、下部カバーの取り付けが確実になされ、しかも弾性係合片の存在のため係合爪の係合が容易となる。
【００１９】
請求項３記載の発明のように、取付板の上面部の内端部を下方に折り曲げ、この折り曲げ部を、補強杆の上面に溶接すると、取付板と補強杆との結合強度を高めることができる。
【図面の簡単な説明】
【図１】  本発明の一実施例の一部を分解して示す側面図である。
【図２】  同じく、要部を内側上方から見た拡大分解斜視図である。
【図３】  組み付けた状態における図２のIII−III線に沿う縦断側面図である。
【符号の説明】
(Ｗ1)(Ｗ2)(Ｗ3)溶接部
(１)座
(1a)座シェル
(２)肘掛け本体
(３)ボルト
(４)下部カバー
(５)支柱
(６)肘掛け取付部
(７)取付板
(7a)上面部
(7b)側面部
(7c)折り曲げ部
(８)ボルト孔
(９)補強杆
(10)係合孔
(11)係合爪
(12)弾性係合片
(13)ボルト孔
【図１】
0003707033.tif 000002
【図２】
0003707033.tif 000003
【図３】
0003707033.tif 000004